(57)【要約】      （修正有）【課題】トップユニットの下方から比較的安全に本体部を取り外すことができる誘導加熱調理器を提供する。【解決手段】誘導加熱調理器１０は、トッププレート２２を含むトップユニット２０と、誘導加熱用の加熱コイル３２を格納し、トップユニットの鉛直下方に、第１支持部材１１と、第２支持部材１８とによって支持されている本体部３０と、を備え、第１支持部材は、本体部をトップユニットに取り外し可能に掛かり止めし、第２支持部材は、本体部とトップユニットとを取り外し可能に締結する。【選択図】図２
2019046653.tif 000002
【特許請求の範囲】
【請求項１】
トッププレートを含むトップユニットと、
誘導加熱用の加熱コイルを格納し、前記トップユニットの鉛直下方に、第１支持部材と、第２支持部材とによって支持されている本体部と、
を備え、
前記第１支持部材は、前記本体部を前記トップユニットに取り外し可能に掛かり止めし、
前記第２支持部材は、前記本体部と前記トップユニットとを取り外し可能に締結する、誘導加熱調理器。
【請求項２】
前記第２支持部材による締結を解除して前記第１支持部材によって前記本体部を支持するときの前記本体部の高さ方向における位置と、前記第２支持部材によって前記本体部を支持するときの前記本体部の高さ方向における位置と、は異なる、請求項１に記載の誘導加熱調理器。
【請求項３】
前記第２支持部材による締結を解除した際に、前記第１支持部材によって前記本体部を支持する、請求項１又は２に記載の誘導加熱調理器。
【請求項４】
前記第１支持部材及び前記第２支持部材は、それぞれ左右側部に設けられている、請求項１から３のいずれか一項に記載の誘導加熱調理器。
【請求項５】
前記第１支持部材は、前記本体部の一部であるフック部材を前記トップユニットの掛け部材に掛かり止めする、前記フック部材と前記掛け部材との組み合わせである、請求項１から４のいずれか一項に記載の誘導加熱調理器。
【請求項６】
前記フック部材は、前記掛け部材に掛かり止めする先端が前記掛け部材を越えて戻る少なくとも１８０°の返し部分を有する、請求項５に記載の誘導加熱調理器。
【請求項７】
前記第１支持部材は、前記本体部の一部を前記トップユニットの押さえ部材に挟み込む、前記押さえ部材と前記本体部の一部との組み合わせである、請求項１から６のいずれか一項に記載の誘導加熱調理器。
【請求項８】
前記第１支持部材は、
前記本体部の一部を前記トップユニットの押さえ部材に挟み込む、前記押さえ部材と前記本体部の一部との組み合わせを両側部に有する、請求項１から４のいずれか一項に記載の誘導加熱調理器。
【請求項９】
前記第１支持部材は、
ａ）前記本体部の一部であるフック部材を前記トップユニットの掛け部材に掛かり止めする、前記フック部材と前記掛け部材との組み合わせと、
ｂ）前記本体部の一部を前記トップユニットの押さえ部材に挟み込む、前記押さえ部材と前記本体部の一部との組み合わせと、
をそれぞれ両側部に有する、請求項１から４のいずれか一項に記載の誘導加熱調理器。
【請求項１０】
前記第２支持部材は、前記本体部と前記トップユニットとを締結するネジである、請求項１から９のいずれか一項に記載の誘導加熱調理器。
【発明の詳細な説明】
【技術分野】
【０００１】
本発明は、トッププレートを有するトップユニットと加熱コイルを格納する本体部とを備えた誘導加熱調理器に関する。
【背景技術】
【０００２】
従来の誘導加熱調理器は、キッチンカウンタに設けられている開口穴に上から挿入し、キッチンカウンタに誘導加熱調理器を取り付けている。このとき、開口穴への水等の侵入を防ぐために、例えば、トッププレートの裏面にパッキンを設ける技術が知られている（例えば、特許文献１参照。）。
【０００３】
また、本体をトップユニットの下からネジなどで固定している構成の調理器も知られている（例えば、特許文献２参照。）。特許文献２には、本体部を下方からネジ止めする構成が開示されている。
【先行技術文献】
【特許文献】
【０００４】
【特許文献１】特開２００３−１５１７３９号公報
【特許文献２】欧州特許出願公開第２７９０４６８Ａ２
【発明の概要】
【発明が解決しようとする課題】
【０００５】
このような誘導加熱調理器の本体部の内部にある電装品などのメンテナンスを行う際には、まず、誘導加熱調理器をキッチンカウンタから取り外している。その後、トップユニットに本体部を取り付けているネジ等を取り外すことによって、トップユニットと本体部とを分離して、本体部の内部を確認している。
【０００６】
ところが、誘導加熱調理器を長期間使用していると、パッキンとキッチンカウンタの天板とが固着してしまい、誘導加熱調理器をキッチンカウンタから取り外すことが困難となる。また、パッキンをきれいに剥がすことができず、キッチンカウンタの汚れを取る必要もある。
【０００７】
また、トップユニットをキッチンカウンタの天板に埋め込んだまま、トップユニットの下方から電装部品などが内部に収容されている本体部だけを取り外すには、下から本体部を支えながら本体部を取り付けているネジを取り外す作業をしなければならない。誘導加熱調理器では、近年、複数の加熱コイル等を含む場合があり、重くなっている。このため、本体部が重かったり、製品のサイズが大きい場合は、一人で、しかも一方の片手で本体部を支えながら、他方の片手で安全に本体部をトップユニットから取り外す作業は困難であった。さらに、一方の側を取り外した際に製品が重いと他方の側が滑って落ちたり、支えている部材が変形するおそれがあった。
【０００８】
本発明は、トップユニットの下方から比較的安全に本体部を取り外すことができる誘導加熱調理器を提供することを目的とする。
【課題を解決するための手段】
【０００９】
本発明に係る誘導加熱調理器は、トッププレートを含むトップユニットと、
誘導加熱用の加熱コイルを格納し、前記トップユニットの鉛直下方に、第１支持部材と、第２支持部材とによって支持されている本体部と、
を備え、
前記第１支持部材は、前記本体部を前記トップユニットに取り外し可能に掛かり止めし、
前記第２支持部材は、前記本体部と前記トップユニットとを取り外し可能に締結する。
【発明の効果】
【００１０】
本発明に係る誘導加熱調理器によれば、第１支持部材で本体部とトップユニットが掛かり止めされた状態で、第２支持部材による締結を解除できる。そして第２支持部材による締結を解除した後に、第１支持部材による掛かり止めを解除することにより、比較的安全に本体部の取り外しを行うことができる。
また、本発明に係る誘導加熱調理器によれば、第１支持部材で本体部とトップユニットが掛かり止めされた状態で、第２支持部材により締結できる。したがって、比較的安全に本体部の取り付けを行うことができる。
以上のように本発明に係る誘導加熱調理器によれば、本体部の取り外しのとき、及び、取り付けのときの少なくとも一方において、作業の安全性が向上する。
【図面の簡単な説明】
【００１１】
【図１Ａ】実施の形態１に係る誘導加熱調理器をキッチンカウンタに収納した状態を示す概略斜視図である。
【図１Ｂ】実施の形態１に係る誘導加熱調理器と、キッチンカウンタのカットアウト（角穴）との関係を示す概略斜視図である。
【図２】実施の形態１に係る誘導加熱調理器の構成を示すブロック図である。
【図３Ａ】実施の形態１に係る誘導加熱調理器の平面図である。
【図３Ｂ】図３Ａの誘導加熱調理器の底面図である。
【図３Ｃ】図３Ａの誘導加熱調理器の正面図である。
【図３Ｄ】図３Ａの誘導加熱調理器の右側面図である。
【図３Ｅ】図３Ａの誘導加熱調理器の左側面図である。
【図４Ａ】図３Ａの誘導加熱調理器の左斜め上方からトップユニットをみた斜視図である。
【図４Ｂ】図３Ａの誘導加熱調理器の左斜め下方から本体部の底面をみた斜視図である。
【図５】実施の形態１に係る誘導加熱調理器の構成を示す分解斜視図である。
【図６Ａ】図５の誘導加熱調理器のトップユニットの左斜め下方からトッププレートの裏面をみた斜視図である。
【図６Ｂ】図６Ａのトップユニットの拡大斜視図である。
【図７】図５の誘導加熱調理器の本体部の左斜め上方からみた斜視図である。
【図８Ａ】図３Ｂの誘導加熱調理器のＡ−Ａ方向からみた右側端部の第２支持部材の構成を示す部分断面図である。
【図８Ｂ】図８Ａの第２支持部材において、ネジを外して解除した状態を示す部分断面図である。
【図９Ａ】図３Ｂの誘導加熱調理器のＢ−Ｂ方向からみた右側端部の第１支持部材の構成を示す部分断面図である。
【図９Ｂ】図９Ａの第１支持部材において、第２支持部材のネジを外して解除した状態を示す部分断面図である。
【図１０】図９Ａの第１支持部材の構成を示す模式断面図である。
【図１１Ａ】図９Ａの第１支持部材の押さえ部材の一例を示す斜視図である。
【図１１Ｂ】図１１Ａの押さえ部材の断面図である。
【図１２Ａ】第１支持部材の押さえ部材の別例を示す斜視図である。
【図１２Ｂ】図１２Ａの押さえ部材の断面図である。
【図１３Ａ】図３Ｂの誘導加熱調理器のＣ−Ｃ方向からみた左側端部の第２支持部材の構成を示す部分断面図である。
【図１３Ｂ】図１３Ａの第２支持部材において、ネジを外して解除した状態を示す部分断面図である。
【図１４Ａ】図３Ｂの誘導加熱調理器のＤ−Ｄ方向からみた左側端部の第１支持部材の構成を示す部分断面図である。
【図１４Ｂ】図１４Ａの第１支持部材において、第２支持部材のネジを外して解除した状態を示す部分断面図である。
【図１５Ａ】トップユニットに本体部を左側端部の第１支持部材であるフック部材によって掛かり止めして支持している状態を示す斜視図である。
【図１５Ｂ】図１５Ａのフック部材を示す拡大斜視図である。
【発明を実施するための形態】
【００１２】
第１の態様に係る誘導加熱調理器は、トッププレートを含むトップユニットと、
誘導加熱用の加熱コイルを格納し、前記トップユニットの鉛直下方に、第１支持部材と、第２支持部材とによって支持されている本体部と、
を備え、
前記第１支持部材は、前記本体部を前記トップユニットに取り外し可能に掛かり止めし、
前記第２支持部材は、前記本体部と前記トップユニットとを取り外し可能に締結する。
【００１３】
上記構成によって、第２支持部材による締結を解除した際にも、第１支持部材によって本体部を支持することができる。つまり、第２支持部材を外した後も、第１支持部材によって本体部が支持されている。そこで、本体部を把持しながら第１支持部材の掛かり止めを外すことによって、トップユニットの下方から本体部を比較的安全に取り外しを行うことができる。
【００１４】
第２の態様に係る誘導加熱調理器は、上記第１の態様において、前記第２支持部材による締結を解除して前記第１支持部材によって前記本体部を支持するときの高さ方向における位置と、前記第２支持部材によって前記本体部を支持するときの前記本体部の高さ方向における位置と、は異なってもよい。
【００１５】
上記構成によって、第２支持部材によって本体部を支持している間は、第１支持部材において本体部からの応力を受けないようにすることができる。
【００１６】
第３の態様に係る誘導加熱調理器は、上記第１又は第２の態様において、前記第２支持部材による締結を解除した際に、前記第１支持部材によって前記本体部を支持してもよい。
【００１７】
第４の態様に係る誘導加熱調理器は、上記第１から第３のいずれかの態様において、前記第１支持部材及び前記第２支持部材は、それぞれ左右側部に設けられていてもよい。
【００１８】
上記構成によって、両側部で本体部を安定して支持できる。
【００１９】
第５の態様に係る誘導加熱調理器は、上記第１から第４のいずれかの態様において、前記第１支持部材は、前記本体部の一部であるフック部材を前記トップユニットの掛け部材に掛かり止めする、前記フック部材と前記掛け部材との組み合わせであってもよい。
【００２０】
上記構成によれば、本体部を把持しながら挟み込み及び取り外しを行うことができる。そこで、比較的安全にトップユニットの下方から本体部を取り付け及び取り外しを行うことができる。
【００２１】
第６の態様に係る誘導加熱調理器は、上記第５の態様において、前記フック部材は、前記掛け部材に掛かり止めする先端が前記掛け部材を越えて戻る少なくとも１８０°の返し部分を有してもよい。
【００２２】
上記構成によれば、本体部が傾いても本体部とトップユニットとのなす角度が９０°未満であれば、本体部を保持できる。
【００２３】
第７の態様に係る誘導加熱調理器は、上記第１から第６の態様において、前記第１支持部材は、前記本体部の一部を前記トップユニットの押さえ部材に挟み込む、前記押さえ部材と前記本体部の一部との組み合わせであってもよい。
【００２４】
上記構成によれば、本体部を把持しながら挟み込み及び取り外しを行うことができる。そこで、比較的安全にトップユニットの下方から本体部を取り付け及び取り外しを行うことができる。
【００２５】
第８の態様に係る誘導加熱調理器は、上記第１から第４の態様において、前記第１支持部材は、前記本体部の一部を前記トップユニットの押さえ部材に挟み込む、前記押さえ部材と前記本体部の一部との組み合わせを両側部に有してもよい。
【００２６】
上記構成によって、両側部で本体部を安定して支持できる。
【００２７】
第９の態様に係る誘導加熱調理器は、上記第１から第４の態様において、前記第１支持部材は、
ａ）前記本体部の一部であるフック部材を前記トップユニットの掛け部材に掛かり止めする、前記フック部材と前記掛け部材との組み合わせと、
ｂ）前記本体部の一部を前記トップユニットの押さえ部材に挟み込む、前記押さえ部材と前記本体部の一部との組み合わせと、
を両側部に有してもよい。
【００２８】
上記構成によって、両側部で本体部を安定して支持できる。
【００２９】
第１０の態様に係る誘導加熱調理器は、上記第１から第９の態様において、前記第２支持部材は、前記本体部と前記トップユニットとを締結するネジであってもよい。
【００３０】
上記構成によって、本体部とトップユニットとを安定して締結できる。
【００３１】
以下、実施の形態に係る誘導加熱調理器について、添付図面を参照しながら説明する。なお、図面において実質的に同一の部材については同一の符号を付している。
【００３２】
（実施の形態１）
図１Ａは、実施の形態１に係る誘導加熱調理器１０をキッチンカウンタ１に収納した状態を示す概略斜視図である。図１Ｂは、実施の形態１に係る誘導加熱調理器１０と、キッチンカウンタ１のカットアウト（角穴）２との関係を示す概略斜視図である。図２は、実施の形態１に係る誘導加熱調理器１０の構成を示すブロック図である。
【００３３】
図３Ａは、実施の形態１に係る誘導加熱調理器１０の平面図である。図３Ｂは、図３Ａの誘導加熱調理器１０の底面図である。図３Ｃは、図３Ａの誘導加熱調理器１０の正面図である。図３Ｄは、図３Ａの誘導加熱調理器１０の右側面図である。図３Ｅは、図３Ａの誘導加熱調理器１０の左側面図である。図４Ａは、図３Ａの誘導加熱調理器１０の左斜め上方からトップユニット２０をみた斜視図である。図４Ｂは、図３Ａの誘導加熱調理器１０の左斜め下方から本体部３０の底面をみた斜視図である。図５は、実施の形態１に係る誘導加熱調理器１０の構成を示す分解斜視図である。なお、各図には、便宜上、互いに直交するｘ軸、ｙ軸、ｚ軸を示している。
【００３４】
実施の形態１に係る誘導加熱調理器１０は、図１Ａ及び図１Ｂに示すように、キッチンカウンタ１のカットアウト２に嵌め込まれて使用される。この誘導加熱調理器１０は、図２に示すように、トッププレート２２を有するトップユニット２０と、誘導加熱用の加熱コイル３２を格納する本体部３０とを備える。本体部３０は、第１支持部材１１と第２支持部材１８とによって、トップユニット２０の鉛直下方に支持されている。第１支持部材１１は、本体部３０をトップユニット２０に取り外し可能に掛かり止めする。第２支持部材１８は、本体部３０とトップユニット２０とを取り外し可能に締結する。
【００３５】
また、この誘導加熱調理器１０は、図３Ａ及び図４Ａに示すように、トッププレートの下に、左側の４つの横長の加熱コイル３２と、中央の３つの縦長の加熱コイル３２と、右側の４つの横長の加熱コイル３２と、を有する。また、中央手前に表示部３４を有する。さらに、本体部３０の裏面では、図３Ｂに示すように、右側端部には、図３Ｄに示すように、本体部３０をトップユニット２０に掛かり止めする押さえ部材１２がある。左側端部には、図３Ｅに示すように、本体部３０をトップユニット２０に掛かり止めする２つのフック部材１４がある。この押さえ部材１２とフック部材１４とは、第１支持部材に対応する。また、本体部３０をトップユニット２０にネジ１８によって締結している。このネジ１８が第２支持部材に対応する。なお、図３Ｂでは、左右（ｘ方向）をそのままに示し、前後（ｙ方向）が図３Ａとは逆方向（−ｙ方向）になっている。
【００３６】
この誘導加熱調理器１０によれば、第１支持部材で本体部３０とトップユニット２０が掛かり止めされた状態で、第２支持部材１８による締結を解除できる。そして、第２支持部材による締結を解除した後に、第１支持部材１１による掛かり止めを解除することにより、比較的安全に本体部３０を取り外すことができる。また、この誘導加熱調理器１０によれば、第１支持部材で本体部３０とトップユニット２０が掛かり止めされた状態で、第２支持部材により締結できる。したがって、比較的安全に本体部３０の取り付けを行うことができる。そこで、この誘導加熱調理器１０によれば、本体部３０の取り外しのとき、及び、取り付けのときの少なくとも一方において、作業の安全性が向上する。
【００３７】
以下に、この誘導加熱調理器１０を構成する構成部材について説明する。
【００３８】
＜トップユニット＞
図６Ａは、図５の誘導加熱調理器１０のトップユニット２０の左斜め下方からトッププレート２２の裏面をみた斜視図である。図６Ｂは、図６Ａのトップユニットの拡大斜視図である。トップユニット２０は、トッププレート２２を含む。また、トップユニット２０は、トッププレート２２の裏面側で本体部３０を支持するための側面部と、ネジ孔を設ける突出部とを有する。
【００３９】
＜トッププレート＞
トッププレート２２は、誘導加熱調理器１０の上面に設けられ、被加熱物を載置する。トッププレート２２としては、例えば、ガラスからなるガラストッププレートを使用してもよい。
＜本体部＞
【００４０】
図７は、図５の誘導加熱調理器の本体部の左斜め上方からみた斜視図である。図５及び図７に示すように、本体部３０には、厚さ方向に制御部３６と加熱コイル３２とが順に設けられている。本体部３０は、例えば、図５に示すように、加熱コイルを有する第１本体部と、制御部３６を有する第２本体部とを有してもよい。この場合に、例えば、第２本体部は、第１本体部の鉛直下方に、第３支持部と、第４支持部材とによって支持されていてもよい。この場合には、本体部３０の重量を２つの第１本体部と第２本体部とに分散できる。
なお、本体部３０には、加熱コイル３２と、表示部３４、制御部３６に限られず、さらにインバータ等を備えてもよい。
【００４１】
＜加熱コイル＞
加熱コイル３２は、例えば、平面視で長径と短径とを有する略楕円形である。なお、楕円形とは、数学的な２つの焦点を有する場合に限られない。少なくとも長径と短径を有していればよく、外形に直線部分が含まれる長円形であってもよい。このように加熱コイル３２の形状を楕円形とすることで小さな円形コイルを２つ用いる場合よりも出力を大きくすることができ、加熱効率を向上させることができる。なお、外形は全体として曲線部分からなることが好ましい。また、外形には角が生じないようにすることが好ましい。さらに、加熱コイル３２は、楕円形、長円形に限られず、円形等であってもよい。
また、図３Ａでは、左側の４つの横長の加熱コイル３２と、中央の３つの縦長の加熱コイル３２と、右側の４つの横長の加熱コイル３２と、を有しているが、これに限られない。例えば、左右に一つづつであってもよく、左右と中央にそれぞれ一つであってもよい。あるいは、左側に２つ、中央に２つ、右側に２つであってもよい。
【００４２】
＜表示部＞
この誘導加熱調理器１０は、表示部３４を備えていてもよい。表示部３４には、各加熱コイルに対応する領域ごとに表示するようにしてもよい。また、表示部３４には、複数の加熱コイルにまたがって載置された一つの被加熱物を使用者が容易に視認できるように、一体的な表示で「一つの鍋」であることを表示することができる。また、複数の鍋は、それぞれ別々の鍋として個別表示を行ってもよい。
【００４３】
＜第１支持部材＞
（挟み込み型の第１支持部材）
図９Ａは、図３Ｂの誘導加熱調理器１０のＢ−Ｂ方向からみた右側端部の第１支持部材１２、１３の構成を示す部分断面図である。図９Ｂは、図９Ａの第１支持部材１２、１３において、第２支持部材のネジを外して解除した状態を示す部分断面図である。図１０は、図９Ａの第１支持部材１２，１３の構成を示す模式断面図である。図１１Ａは、図９Ａの第１支持部材の押さえ部材１２の一例を示す斜視図である。図１１Ｂは、図１１Ａの押さえ部材１２の断面図である。図１２Ａは、第１支持部材の押さえ部材１２ａの別例を示す斜視図である。図１２Ｂは、図１２Ａの押さえ部材１２ａの断面図である。
【００４４】
図１０に示すように、本体部３０の一部である本体部の一部１３をトップユニット２０の押さえ部材１２に挟み込んで、トップユニット２０によって本体部３０を支持している。この押さえ部材１２は、バネ性を有する。つまり、押さえ部材１２によって、本体部の一部１３を弾性的に挟み込んで掛かり止めできる。また、本体部３０を下方から把持しながら、本体部の一部１３を押さえ部材１２の間に挟み込み、押さえ部材１２の突起に本体部の一部１３を挟むことで掛かり止めを行うことができる。逆に、本体部３０を把持しながら、押さえ部材１２に挟み込まれている本体部の一部１３を外すことができる。この押さえ部材１２と本体部の一部１３との組み合わせが挟み込み型の第１支持部材に対応する。
【００４５】
この押さえ部材１２と本体部の一部１３との組み合わせは、図３Ｄ、図９Ａ及び図９Ｂに示すように、右側部に設けられている。なお、右側部に限られず、左側部、又は両側部に設けてもよい。また、右側部に１箇所に限られず、２箇所以上設けてもよい。また、上記例では、押さえ部材１２はトップユニット２０に設けられ、本体部の一部１３は本体部３０に設けられているが、これに限られず、押さえ部材が本体部に設けられ、トップユニットの一部が押さえ部材の間に挟み込まれてもよい。
なお、後述の第２支持部材が本止めとすれば、この第１支持部材１２、１３は、いわば仮止めということもできる。
【００４６】
なお、挟み込み型の第１支持部材は、本体部３０を把持しながら挟み込み及び取り外しを行うことができる。そこで、比較的安全にトップユニット２０の下方から本体部３０を取り付け及び取り外しを行うことができる。ここで「本体部を把持しながら」とは、本体部３０を両手で支えながら操作できることを意味している。例えば、親指又は人差し指等だけで押さえ部材１２を押し広げて本体部の一部１３を挟み込むことができる。
【００４７】
また、図９Ａによれば、後述の第２支持部材であるネジ１８によって本体部３０とトップユニット２０とを締結している状態では本体部の一部１３が押さえ部材１２から少し上方に浮いており、押さえ部材１２には本体部３０からの応力が働かない。一方、図９Ｂでは、第２支持部材であるネジを外して締結を解除した状態で、第１支持部材１２、１３によって本体部３０を支持している。この場合には、本体部の一部１３は押さえ部材１２に当接しており、図９Ａに比べて本体部３０はより下方で支持され、押さえ部材１２に本体部３０からの応力が働く。
【００４８】
さらに、図９Ａと図９Ｂとを対比すると、図９Ｂに示すように、第２支持部材による締結を解除して第１支持部材１２、１３によって本体部３０を支持するときの本体部３０の高さ方向の位置と、図９Ａに示すように、第２支持部材１８、１９によって本体部３０を支持するときの本体部３０の高さ方向における位置と、は互いに異なっている。具体的には、第２支持部材１８、１９によって本体部３０を支持するときの本体部３０の高さ方向の位置のほうがより高い。これによって、第２支持部材１８、１９によって本体部３０を支持している間は、第１支持部材１２、１３において本体部３０からの応力を受けないようにすることができる。
【００４９】
押さえ部材１２は、例えば、図１１Ａ及び図１１Ｂに示す２つの突起を有するものを用いることができる。また、図１２Ａ及び図１２Ｂに示すように１つの突起を有する別例のものを用いてもよい。さらに、押さえ部材はこれらに限られず、本体部の一部を挟み込んで支持できるものであればよい。
【００５０】
（フック型の第１支持部材）
図１４Ａは、図３Ｂの誘導加熱調理器１０のＤ−Ｄ方向からみた左側端部の第１支持部材１４、１５の構成を示す部分断面図である。図１４Ｂは、図１４Ａの第１支持部材１４、１５において、第２支持部材のネジを外して解除した状態を示す部分断面図である。図１５Ａは、トップユニット２０に本体部３０を左側端部の第１支持部材であるフック部材１４によって掛かり止めして支持している状態を示す斜視図である。図１５Ｂは、図１５Ａのフック部材１４を示す拡大斜視図である。
【００５１】
図１４Ａ、図１４Ｂ、図１５Ａ及び図１５Ｂに示すように、本体部３０のフック部材１４をトップユニット２０の掛け部材１５に引っかけて、トップユニット２０によって本体部３０を支持している。つまり、本体部３０を下方から把持しながら、フック部材１４を掛け部材１５に引っかけることで、掛かり止めを行うことができる。逆に、本体部３０を把持しながら、掛け部材１５に引っかけられているフック部材１４を外すことができる。このフック部材１４と掛け部材１５との組み合わせがフック型の第１支持部材に対応する。
【００５２】
なお、フック型の第１支持部材１４，１５によれば、本体部３０を把持しながら挟み込み及び取り外しを行うことができる。そこで、比較的安全にトップユニット２０の下方から本体部３０を取り付け及び取り外しを行うことができる。ここで「本体部を把持しながら」とは、本体部３０を両手で支えながら操作できることを意味している。例えば、本体部３０を両手で支えながらフック部材１４を掛け部材１５に引っかけることができる。
【００５３】
また、図１４Ａによれば、後述の第２支持部材であるネジ１８によって本体部３０とトップユニット２０とを締結している状態ではフック部材１４が掛け部材１５から少し上方に浮いており、掛け部材１５には本体部３０からの応力が働かない。一方、図１４Ｂでは、第２支持部材であるネジを外して締結を解除した状態で、第１支持部材１４、１５によって本体部３０を支持している。この場合には、フック部材１４は掛け部材１５に掛かっており、図１４Ａに比べて本体部３０はより下方で支持され、掛け部材１５に本体部３０からの応力が働く。
【００５４】
さらに、図１４Ａと図１４Ｂとを対比すると、図１４Ｂに示すように、第２支持部材による締結を解除して第１支持部材１４、１５によって本体部３０を支持するときの高さ方向の位置と、図１４Ａに示すように、第２支持部材１８、１９によって本体部３０を支持するときの本体部３０の高さ方向における位置と、は互いに異なっている。具体的には、第２支持部材１８、１９によって本体部３０を支持するときの本体部３０の高さ方向の位置のほうがより高い。これによって、第２支持部材１８、１９によって本体部３０を支持している間は、第１支持部材１４、１５における本体部３０からの応力を受けないようにすることができる。
【００５５】
また、フック部材１４は、図１４Ａ及び図１４Ｂに示すように、掛け部材１５に掛かり止めする先端が掛け部材１５を越えて戻る少なくとも１８０°の返し部分１４ａを有してもよい。これによって、図１５Ａ及び図１５Ｂに示すように、本体部３０が傾いても本体部３０とトップユニット２０とのなす角度が９０°未満であれば、本体部３０を保持できる。
【００５６】
なお、第１支持部材１２、１３、１４、１５は、誘導加熱調理器の左右側部に設けられていてもよい。また、挟み込み型の第１支持部材とフック型の第１支持部材とをそれぞれ左右側部に設けてもよい。この場合、左右側部のそれぞれにいずれを設けるかは適宜設定できる。また、第１支持部材１２、１３、１４、１５は、前後側部に設けてもよい。
【００５７】
＜第２支持部材＞
図８Ａは、図３Ｂの誘導加熱調理器１０のＡ−Ａ方向からみた右側端部の第２支持部材１８、１９の構成を示す部分断面図である。図８Ｂは、図８Ａの第２支持部材１８，１９において、ネジ１８を外して解除した状態を示す部分断面図である。図１３Ａは、図３Ｂの誘導加熱調理器１０のＣ−Ｃ方向からみた左側端部の第２支持部材１８、１９の構成を示す部分断面図である。図１３Ｂは、図１３Ａの第２支持部材１８、１９において、ネジ１８を外して解除した状態を示す部分断面図である。
【００５８】
図８Ａに示すように、ネジ１８及びネジ孔１９によって本体部３０とトップユニット２０とを取り外し可能に締結する。ネジ１８及びネジ孔１９は、少なくとも誘導加熱調理器１０の左右側部に設けられる。ネジ１８及びネジ孔１９は、図３Ｂでは、本体部３０の底面の左右端部のそれぞれ３箇所と前後端部のそれぞれに２箇所の合計１０箇所に設けられている。このネジ１８と本体部３０及びトップユニット２０に設けたネジ孔１９とが第２支持部材に対応する。
ネジ１８によって本体部３０とトップユニット２０とを締結した場合には、図８Ａ及び図１３Ａに示すように、本体部３０のネジ孔１９とトップユニット２０のネジ孔１９とが密接する。図８Ａ及び図１３Ａに示すように、ネジ１８で本体部３０とトップユニット２０とを締結した状態が締結状態である。このようにネジによって締結するので、本体部３０とトップユニット２０とを安定して支持できる。
【００５９】
一方、図８Ｂ及び図１３Ｂに示すように、ネジ１８を外した状態は、締結を解除した状態である。この場合、第２支持部材１８、１９による支持は解除されているが、上述の第１支持部材１２、１３、１４、１５によって本体部３０が支持されている。
図８Ａと図８Ｂとの対比、及び、図１３Ａと図１３Ｂとの対比から、第２支持部材による締結を解除して第１支持部材１２、１３、１４、１５によって本体部３０を支持するときの本体部３０の高さ方向の位置と、第２支持部材１８、１９によって本体部３０を支持するときの高さ方向の位置と、は互いに異なる。具体的には、第２支持部材１８、１９によって本体部３０を支持するときの本体部３０の高さ方向の位置のほうがより高い。つまり、第２支持部材１８、１９によって本体部３０を支持している間は、第１支持部材１２、１３、１４、１５における本体部３０からの応力を受けないようにすることができる。
【００６０】
上記実施の形態では、本体部３０によってトップユニット２０の側壁を覆っているが、これに限られず、トップユニット２０の側壁の内側に本体部３０を嵌め込んでもよい。
【００６１】
上記実施の形態では、第１支持部材として、挟み込み型の第１支持部材とフック型の第１支持部材とを示しているが、これらに限られない。この場合に、本体部を把持しながら、あるいは、親指等のみで操作できるものであることが望ましい。
【００６２】
また、上記実施の形態では、第１支持部材として、本体部とトップユニットとのそれぞれに設ける部分の組み合わせ、例えば、押さえ込み部材と本体部の一部との組み合わせ、又は、フック部材と掛け部材との組み合わせとして構成している。これらの組み合わせを構成する各部材は、本体部とトップユニットとのいずれかに設けることができ、各部材を入れ替えてトップユニットと本体部にそれぞれ設けてもよい。
【００６３】
上記実施の形態では、第２支持部材としてネジとネジ孔との組み合わせを示したが、これに限定されない。例えば、ボルトとナットとネジ孔とで本体部を支持してもよい。その他の締結部材であってもよい。
【００６４】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００６５】
本発明に係る誘導加熱調理器によれば、第１支持部材で本体部とトップユニットが掛かり止めされた状態で、第２支持部材による締結を解除できる。第２支持部材による締結を解除した後に、第１支持部材による掛かり止めを解除することにより、比較的安全に本体部の取り外しを行うことができる。また、本発明に係る誘導加熱調理器によれば、第１支持部材で本体部とトップユニットが掛かり止めされた状態で、第２支持部材により締結できる。したがって、比較的安全に本体部の取り付けを行うことができる。以上のように本発明に係る誘導加熱調理器によれば、本体部の取り外しのとき、及び、取り付けのときの少なくとも一方において、作業の安全性が向上する。これによりメンテナンスを容易に行うことができる。
【符号の説明】
【００６６】
１  キッチンカウンタ
２  カットアウト（角穴）
４  空洞部
１０  誘導加熱調理器
１１  第１支持部材
１２、１２ａ  押さえ部材
１３  本体部の一部
１４  フック部材
１４ａ  返し部分
１５  掛け部材
１８  第２支持部材（ネジ）
１９  ネジ孔
２０  トップユニット
２２  トッププレート
３０  本体部
３２  加熱コイル
３４  表示部
３６  制御部
【図１Ａ】
2019046653.tif 000003
【図１Ｂ】
2019046653.tif 000004
【図２】
2019046653.tif 000005
【図３Ａ】
2019046653.tif 000006
【図３Ｂ】
2019046653.tif 000007
【図３Ｃ】
2019046653.tif 000008
【図３Ｄ】
2019046653.tif 000009
【図３Ｅ】
2019046653.tif 000010
【図４Ａ】
2019046653.tif 000011
【図４Ｂ】
2019046653.tif 000012
【図５】
2019046653.tif 000013
【図６Ａ】
2019046653.tif 000014
【図６Ｂ】
2019046653.tif 000015
【図７】
2019046653.tif 000016
【図８Ａ】
2019046653.tif 000017
【図８Ｂ】
2019046653.tif 000018
【図９Ａ】
2019046653.tif 000019
【図９Ｂ】
2019046653.tif 000020
【図１０】
2019046653.tif 000021
【図１１Ａ】
2019046653.tif 000022
【図１１Ｂ】
2019046653.tif 000023
【図１２Ａ】
2019046653.tif 000024
【図１２Ｂ】
2019046653.tif 000025
【図１３Ａ】
2019046653.tif 000026
【図１３Ｂ】
2019046653.tif 000027
【図１４Ａ】
2019046653.tif 000028
【図１４Ｂ】
2019046653.tif 000029
【図１５Ａ】
2019046653.tif 000030
【図１５Ｂ】
2019046653.tif 000031